(57)【要約】【課題】情報をシルエットとして黒く映し出すことにより、鮮明かつ斬新で神秘的な描写ができると共にすっきりして強いインパクトが与えられ、演出力にも優れて遊技者の注意を引き、もって、遊技の興趣が高められる遊技機用表示装置を提供する。【解決手段】文字、図柄等の情報を表示する白黒液晶表示パネル１６と、該白黒液晶表示パネル１６を裏側から照らす光源１７と、前記白黒液晶表示パネル１６の前側に配置され該白黒液晶表示パネル１６に表示された文字、図柄等の情報Ｊをシルエットとして映し出す半透明の投影シート１８とを備え、前記光源の発光により該投影シート１８に映し出されたシルエットを遊技機Ａの前側から視認できるようにした。【選択図】図２
2006000227.tif 000002
【特許請求の範囲】
【請求項１】
文字、図柄等の情報を表示する白黒液晶表示パネルと、前記白黒液晶表示パネルを裏側から照らす光源と、前記白黒液晶表示パネルの前側に配置され該白黒液晶表示パネルに表示された文字、図柄等の情報をシルエットとして映し出す半透明の投影シートとを備え、前記光源の発光により前記投影シートに映し出された前記シルエットを遊技機の前側から視認できるようにしたことを特徴とする遊技機用表示装置。
【請求項２】
前記白黒液晶表示パネルと前記光源とをスロットマシンの表示部に設置された回転リールの内側に配置し、前記投影シートを前記回転リールの周面に設けてなり、前記回転リールがその回転を停止して前記白黒液晶表示パネルの前側に前記投影シートが位置したとき、前記投影シートに前記シルエットが映し出されるようにした請求項１記載の遊技機用表示装置。
【発明の詳細な説明】
【技術分野】
【０００１】
この発明は、弾球遊技機やスロットマシンなどの遊技機に備えられる遊技機用表示装置に関するものである。
【背景技術】
【０００２】
一般に、遊技機の一種であるパチンコ遊技機やスロットマシンに備えられる遊技機用表示装置は、カラー液晶表示パネルを使用しているものがほとんどであり、該カラー液晶表示パネルに所望の文字、図柄等の情報を表示することによって遊技が行なわれている。特に、前記カラー液晶表示パネルには、遊技の興趣を高めるためその情報として人気のあるアニメのキャラクターなどが用いられている。そこで、例えば、パチンコ遊技機にあっては、遊技盤の中央部にカラー液晶表示パネルを有した遊技機用表示装置を配置し、該カラー液晶表示パネルにその都度遊技状態に相応しい文字やキャラクターといった情報を表示して、この情報をその前側から視認できるようにしている（例えば、特許文献１参照。）。
【特許文献１】特開平７−５９９２３号公報（第２−５頁、図５）
【発明の開示】
【発明が解決しようとする課題】
【０００３】
しかしながら、前記特許文献１の遊技機用表示装置のように、液晶表示パネルにカラー表示で文字、図柄等の情報を表示することは、昨今見ているカラーテレビやパソコンのディスプレイと同様であって見慣れており、従来と変わりがなくてマンネリ化し遊技者に飽きられているのが現状である。このため、遊技の興趣を高めるべくこの点を解決することが急務になっている。
【０００４】
そこで、本発明は上記課題に鑑みてなされたもので、前記情報をシルエットとして黒く映し出すことにより、鮮明かつ斬新で神秘的な描写ができると共にすっきりして強いインパクトが与えられ、演出力にも優れて遊技者の注意を引き、もって遊技の興趣が高められるようにした遊技機用表示装置を提供することを目的とするものである。
【課題を解決するための手段】
【０００５】
かかる目的を達成するため本発明の遊技機用表示装置は、文字、図柄等の情報を表示する白黒液晶表示パネルと、前記白黒液晶表示パネルを裏側から照らす光源と、前記白黒液晶表示パネルの前側に配置され該白黒液晶表示パネルに表示された文字、図柄等の情報をシルエットとして映し出す半透明の投影シートとを備え、前記光源の発光により前記投影シートに映し出された前記シルエットを遊技機の前側から視認できるようにした構成からなる。
【０００６】
例えば、スロットマシンの場合、前記白黒液晶表示パネルと前記光源とをスロットマシンの表示部に設置された回転リールの内側に配置し、前記投影シートを前記回転リールの周面に設けてなり、回転リールがその回転を停止して白黒液晶表示パネルの前側に投影シートが位置したとき、投影シートに前記シルエットが映し出されるようにする。
【発明の効果】
【０００７】
本発明に係る遊技機用表示装置は、文字、図柄等の情報を投影シートにシルエットとして黒く映し出すようにしたので、鮮明かつ斬新で神秘的な描写ができると共にすっきりして強いインパクトが与えられる。しかも、演出力にも優れて遊技者の注意を引くこととなり、これにより遊技の興趣が高められるという効果を奏する。
また、白黒液晶表示パネルはカラー液晶表示パネルに比べコストが安いことから、遊技機用表示装置が安価に製作できるという効果も有る。
【発明を実施するための最良の形態】
【０００８】
以下、本発明に係る遊技機用表示装置の実施の形態を図面に基づき説明する。なお、この遊技機用表示装置は、白黒液晶表示パネルを備えたものであって、例えば、パチンコ遊技機、アレンジボール機または雀球遊技機といった弾球遊技機、またはスロットマシンなどの遊技機に適用される。本発明にあっては、その内、遊技機であるスロットマシンに適用された場合について説明する。図１は本発明が適用されるスロットマシンの斜視図、図２は同遊技機用表示装置部位の縦断面図、図３は同遊技機用表示装置部位の分解斜視図をそれぞれ示す。
【０００９】
スロットマシンＡは、側面略台形状をなすと共に前面が開放したマシン本体１と該マシン本体１の前面開口に開閉自在に装着される前面扉２とを備えている。この前面扉２は、上部前面２ａと下部前面２ｂとに分かれ、これらが水平な棚部２ｃにより連接されている。
【００１０】
前記上部前面２ａの中央に、三個の表示窓３ａ〜３ｃが横に並ぶようにして開設される。そして、該各表示窓３ａ〜３ｃに、その内側に配置され駆動手段（図示せず。）により回転・制御される回転リール４ａ〜４ｃの周面の一部が臨んでいる。各回転リール４ａ〜４ｃの周面には、所定の数字または絵柄Ｍが列設され、これらが各表示窓３ａ〜３ｃにそれぞれ三個ずつ現れて視認できるようになっている。また、前記表示窓３ａ〜３ｃには横３本（中央及び上下）、斜め２本の入賞ラインが設けられる。
【００１１】
前記棚部２ｃの一側に代用貨幣であるメダルを投入するメダル投入口５が設けられ、他側には、遊技を終了するとき後記するクレジットメダル表示部１１に表示される数値と同じ枚数のメダルを払い出すための精算ボタン６、及び一定枚数のメダルが貯留されている（クレジットメダル表示部に数値として表示）ことを条件に、メダルを投入する替わりに押すことにより代用できるベットボタン７が装着されている。また、前面扉２の下部前面２ｂには、その上縁に沿って、前記各回転リール４ａ〜４ｃを回転させるスタートレバー８が装着され、その横に前記回転している各回転リール４ａ〜４ｃをそれぞれ所望の位置で停止できる停止ボタン９ａ〜９ｃが列設されている。
【００１２】
更に、前記表示窓３ｃの一側に、獲得した景品メダルの個数を表示する獲得メダル表示部１０と貯留されているメダルの枚数を表示するクレジットメダル表示部１１が設けられる。前記前面扉２の下部には、景品メダルが払い出されるメダル払出口１２が開設され、また、該メダル払出口１２を囲むようにしてその前側に該メダル払出口１２から払い出されるメダルを貯留するためのメダル貯留皿１３が装着されている。
【００１３】
そして、前記マシン本体１の上部前面に本発明に係る遊技機用表示装置１４−１が配置される。この遊技機用表示装置１４−１は、一定の遊技状態によってその遊技状態に相応しい表現を遊技者に与えて、遊技の興趣を高めるようにするためのものである。その前面には、表示部１５が設けられ、該表示部１５に表示される各種の文字、図柄等の情報Ｊがシルエットとして映し出されて、前側から視認できるようになっている。
【００１４】
更に詳しく説明すると、前記遊技機用表示装置１４−１は、内部に所望の文字、図柄等の情報Ｊを表示する白黒液晶表示パネル１６と、該白黒液晶表示パネル１６を裏側から照らす光源１７と、前記白黒液晶表示パネル１６の前側に配置され該白黒液晶表示パネル１６に表示された文字、図柄等の情報Ｊをシルエットとして黒く映し出す白い半透明の投影シート１８とを備えている。この投影シート１８が表示部１５に相当する。
【００１５】
そこで、例えば、遊技者は三枚のメダルをメダル投入口５に投入した後、又は、あらかじめ多くのメダルが投入されておりベットボタン７を押した後に、スタートレバー８を作動させると各回転リール４ａ〜４ｃが一斉に回転し出す。その後、適当な時間が経過してから各停止ボタン９ａ〜９ｃを押して各回転リール４ａ〜４ｃを停止させる。このとき、各回転リール４ａ〜４ｃの周面に表示された各数字又は絵柄Ｍであって、前記いずれかの入賞ライン上で停止したものの組合せが、所定の組合せ（例えば、「７，７，７」）に該当していれば大当りとなり、その組合せの種類に応じた枚数の景品メダルがメダル貯留皿１３に払い出される。
【００１６】
一方、前記遊技機用表示装置１４−１では、その遊技状態に合わせて投影シート１８に所定の情報Ｊがシルエットとして黒く映し出される。この場合、更に、前記投影シート１８の前側の上下部に投影シート１８に沿ってレール２０，２０が敷設され、該レール２０，２０に沿って自在に摺動する左右一対の格子状の障子１９，１９が嵌合している。これら障子１９，１９は可逆回転モータといった駆動手段（図しせず。）により作動するようになっている。また、投影シート１８には遊技状態に合わせてそれに相応しい情報Ｊが表示される。例えば、本実施の形態にあっては江戸時代の設定で二人の侍が障子１９，１９を通して映し出されている。
【００１７】
このように、投影シート１８に情報Ｊが黒のシルエットとして映し出されるので、鮮明かつ斬新で神秘的な描写ができると共にすっきりして強いインパクトが与えられる。しかも、演出力に優れて遊技者の注意を引くことになるので、これにより遊技の興趣が高められる。また、障子１９，１９を設けることにより、その障子１９，１９が開いたとき手のひらがグーと前面に出てくるような表示を凝らせば、更なる驚きが与えられ、遊技の興趣が一段と高められる。
【００１８】
図４、図５は他の実施の形態に係る遊技機用表示装置を示すもので、例えば、前記回転リール４ａ〜４ｃの内、中央の回転リール４ｂの内側に遊技機用表示装置１４−２を設置したものである。なお、本実施の形態と同一部位は同一番号を付して詳しい説明は省略する。すなわち、中央の回転リール４ｂは、短円柱状の基体部２１とその外周面に貼着され周面に数字又は絵柄Ｍが描出される円筒フィルム２２とからなる。
【００１９】
前記基体部２１は、その中心軸線に沿って一側が開放される軸筒部２３が設けられ、周面の一部には開口２４が開設されている。一方、円筒フィルム２２には前記開口２４に対応する投影シート１８が設けられている。また、回転リール４ｂの一側に隣接して起立する支持板２５が配設され、該支持板２５の一側面から水平に突設される回転軸２６に前記軸筒部２３が嵌入される。これにより、回転リール４ｂが、図示しない駆動手段により回転軸２６を中心として回転制御される。また、前記支持板２５の一側面に回転リール４ｂの内側に位置して白黒液晶表示パネル１６とその後側の光源１７が配置される。なお、他の回転リール４ａ，４ｃも同様な構成によって回転制御されるようになっている。
【００２０】
そして、他の回転リール４ａ，４ｃと共に回転している回転リール４ｂが停止して白黒液晶表示パネル１６の前側に投影シート１８が位置したとき、図５に示すように両側の回転リール４ａ，４ｃの数字「７」に合わせ、光源１７を徐々に明るくて前記投影シート１８に白黒液晶表示パネル１６に表示された情報Ｊ（この場合、数字「７」）を黒いシルエットとしてだんだん浮き出るようにして映し出させる。これにより大当りの状態になる。
【００２１】
このように、回転リール４ｂに情報Ｊが浮き出るようにして映し出されるので、鮮明かつ斬新で神秘的な描写ができるばかりかインパクトがあって遊技者に強い印象を与え、遊技者の注意を引き付けることができる。
【００２２】
図６、図７（イ）（ロ）も他の実施の形態に係る遊技機用表示装置を示すもので、この場合は、パチンコ遊技機に適用される。すなわち、遊技機用表示装置１４−３は遊技盤３０の中央に装着される。また、その下方にパチンコ球の入賞により前記遊技機用表示装置１４−３の表示部１５に映し出される文字、図形等の情報Ｊを変動表示させる始動入賞口３１が配設される。更に、その下方に、前記変動した情報Ｊが一定の時間経過後に停止して特定の情報（例えば「３，３」又は「７，７」）を示し、遊技者にとって有利な特別遊技状態になったとき、一定の条件の下で開閉扉を所定回数開成させ一度に多くの入賞球が得られる入賞装置３２が配設されている。
【００２３】
前記遊技機用表示装置１４−３も前記と同様に白黒液晶表示パネル１６の裏側に光源１７が配置され、該白黒液晶表示パネル１６の前側に投影シート１８が配置されている。更に、本実施の形態と同様に投影シート１８の前側に該投影シート１８に沿って自在に摺動する左右一対の格子状の障子１９，１９が配置される。
【００２４】
そして、常態では両障子１９，１９が閉じており、例えば、遊技盤３０面に装着された始動入賞口３１に弾球であるパチンコ球が入賞することによって、各障子１９，１９を通して投影シート１８に数字が変動して映し出される。このうち、図７に示すように停止した数字があらかじめ決められた特定の数字（例えば、「３，３」又は「７，７」）になったとき、大当たり状態となり、更に、その状態に相応しく図７（ロ）に示すように両障子１９，１９が開いて投影シート１８に「当り」の漢字が映し出されるようになっている。
【００２５】
このようにしても、シルエットにより鮮明かつ斬新で神秘的な描写ができ、強いインパクトが与えられる。これにより、遊技者の注意を引き遊技の興趣が高められる。
【図面の簡単な説明】
【００２６】
【図１】本発明が適用されるスロットマシンの斜視図。
【図２】同遊技機用表示装置部位の縦断面図。
【図３】同遊技機用表示装置部位の分解斜視図。
【図４】他の遊技機用表示装置が適用される回転リール部位の分解斜視図。
【図５】同表示部の正面図。
【図６】他の遊技機用表示装置が適用される遊技盤の正面図。
【図７】（イ）は同作用を示す正面図、（ロ）は同作用を示す正面図。
【符号の説明】
【００２７】
４ａ〜４ｃ              回転リール
１４−１〜１４−３      遊技機用表示装置
１５                    表示部
１６                    白黒液晶表示パネル
１７                    光源
１８                    投影シート
Ａ                      スロットマシン
Ｊ                      情報
【図１】
2006000227.tif 000003
【図２】
2006000227.tif 000004
【図３】
2006000227.tif 000005
【図４】
2006000227.tif 000006
【図５】
2006000227.tif 000007
【図６】
2006000227.tif 000008
【図７】
2006000227.tif 000009